(57)【要約】【課題】圧縮機の底面から放射されベース板を透過して外部へ漏れ出す音の大きさを十分に低減できる空気調和機を提供する。【解決手段】ベース板３の凹部３０と音吸収部材７の孔部７０とは、ヘルムホルツ共鳴器Ｈ０を構成する。このため、圧縮機１の底面から放射した音は、音吸収部材７の孔部７０を介して、ベース板３の凹部３０に取り込まれて、ヘルムホルツ共鳴器Ｈ０にて共鳴する。そして、この共鳴のエネルギーは、音吸収部材７の内部摩擦により消費される。また、音吸収部材７自体により、圧縮機１の底面から放射した音を直接に吸収できる。【選択図】図１
2012037148.tif 000002
【特許請求の範囲】
【請求項１】
ベース板（３，３Ａ，３Ｂ）と、
このベース板（３，３Ａ，３Ｂ）に支持部材（５）を介して支持された圧縮機（１）と、
この圧縮機（１）の底面と上記ベース板（３，３Ａ，３Ｂ）との間に配置される音吸収部材（７，７Ａ，７Ｂ）と
を備え、
上記ベース板（３，３Ａ，３Ｂ）は、上記圧縮機（１）の底面に対向する位置に、凹部（３０，３１，３２，３３，３４）を有し、
上記音吸収部材（７，７Ａ，７Ｂ）は、上記凹部（３０，３１，３２，３３，３４）を覆うと共に、上記凹部（３０，３１，３２，３３，３４）に連通する孔部（７０，７１，７２，７３，７４）を有し、
上記ベース板（３，３Ａ，３Ｂ）の上記凹部（３０，３１，３２，３３，３４）と上記音吸収部材（７，７Ａ，７Ｂ）の上記孔部（７０，７１，７２，７３，７４）とは、ヘルムホルツ共鳴器（Ｈ０，Ｈ１，Ｈ２，Ｈ３，Ｈ４）を構成することを特徴とする空気調和機。
【請求項２】
請求項１に記載の空気調和機において、
上記ベース板（３Ａ）は、複数の上記凹部（３１，３２，３３）を有し、
上記音吸収部材（７Ａ）は、上記複数の凹部（３１，３２，３３）のそれぞれに対応して配置された複数の上記孔部（７１，７２，７３）を有することを特徴とする空気調和機。
【請求項３】
請求項１に記載の空気調和機において、
上記ベース板（３Ｂ）は、一つの上記凹部（３４）を有し、
上記音吸収部材（７Ｂ）は、上記一つの凹部（３４）に対応して配置された複数の上記孔部（７４）を有することを特徴とする空気調和機。
【発明の詳細な説明】
【技術分野】
【０００１】
この発明は、空気調和機に関する。
【背景技術】
【０００２】
従来、空気調和機としては、ベース板と、このベース板に支持される圧縮機と、この圧縮機の底面とベース板との間に配置されるゴム部材とを備えたものがある（特開２００４−１５０７６２号公報：特許文献１参照）。
【０００３】
上記ゴム部材により、圧縮機の底面とゴム部材との間の距離を調整することで、圧縮機の底面から出た騒音が、圧縮機の底面付近で共鳴を起こさないようにしていた。
【０００４】
しかしながら、上記従来の空気調和機では、圧縮機の底面とゴム部材との間の距離を調整することで騒音を低減していたが、圧縮機の底面から放射されベース板を透過して外部へ漏れ出す音の大きさを十分に低減できなかった。
【先行技術文献】
【特許文献】
【０００５】
【特許文献１】特開２００４−１５０７６２号公報
【発明の概要】
【発明が解決しようとする課題】
【０００６】
そこで、この発明の課題は、圧縮機の底面から放射されベース板を透過して外部へ漏れ出す音の大きさを十分に低減できる空気調和機を提供することにある。
【課題を解決するための手段】
【０００７】
上記課題を解決するため、この発明の空気調和機は、
ベース板と、
このベース板に支持部材を介して支持された圧縮機と、
この圧縮機の底面と上記ベース板との間に配置される音吸収部材と
を備え、
上記ベース板は、上記圧縮機の底面に対向する位置に、凹部を有し、
上記音吸収部材は、上記凹部を覆うと共に、上記凹部に連通する孔部を有し、
上記ベース板の上記凹部と上記音吸収部材の上記孔部とは、ヘルムホルツ共鳴器を構成することを特徴としている。
【０００８】
この発明の空気調和機によれば、上記ベース板の上記凹部と上記音吸収部材の上記孔部とは、ヘルムホルツ共鳴器を構成するので、圧縮機の底面から放射した音は、音吸収部材の孔部を介して、ベース板の凹部に取り込まれて、ヘルムホルツ共鳴器にて共鳴する。そして、この共鳴のエネルギーは、音吸収部材の内部摩擦により消費される。また、音吸収部材自体により、圧縮機の底面から放射した音を直接に吸収できる。
【０００９】
したがって、圧縮機の底面から放射されベース板を透過して外部へ漏れ出す音の大きさを十分に低減できる。
【００１０】
また、一実施形態の空気調和機では、
上記ベース板は、複数の上記凹部を有し、
上記音吸収部材は、上記複数の凹部のそれぞれに対応して配置された複数の上記孔部を有する。
【００１１】
この実施形態の空気調和機によれば、上記ベース板は、上記複数の凹部を有し、上記音吸収部材は、上記複数の孔部を有するので、各凹部および各孔部によって構成される各ヘルムホルツ共鳴器の消音できる周波数を変えることができて、消音できる周波数の種類を増加できる。
【００１２】
また、一実施形態の空気調和機では、
上記ベース板は、一つの上記凹部を有し、
上記音吸収部材は、上記一つの凹部に対応して配置された複数の上記孔部を有する。
【００１３】
この実施形態の空気調和機によれば、上記ベース板は、上記一つの凹部を有し、上記音吸収部材は、上記複数の孔部を有するので、複数の孔部と総面積が等しい一つの孔部を設ける場合に比べて、音吸収部材自体により、圧縮機の底面から放射した音を直接に確実に吸収できる。
【発明の効果】
【００１４】
この発明の空気調和機によれば、上記ベース板の上記凹部と上記音吸収部材の上記孔部とは、ヘルムホルツ共鳴器を構成するので、圧縮機の底面から放射されベース板を透過して外部へ漏れ出す音の大きさを十分に低減できる。
【図面の簡単な説明】
【００１５】
【図１】本発明の空気調和機の第１実施形態を示す断面図である。
【図２】音吸収部材と支持部材とベース板凹部との配置位置を示す平面図である。
【図３】本発明の空気調和機の第２実施形態を示す断面図である。
【図４】本発明の空気調和機の第３実施形態を示す断面図である。
【発明を実施するための形態】
【００１６】
以下、この発明を図示の実施の形態により詳細に説明する。
【００１７】
（第１の実施形態）
図１は、この発明の空気調和機の第１実施形態である断面図を示している。図１に示すように、空気調和機は、ベース板３と、このベース板３に支持された圧縮機１と、この圧縮機１の底面とベース板３との間に配置される音吸収部材７とを有する。この空気調和機としては、室外機を示している。
【００１８】
上記圧縮機１は、図示しない四路切換弁、室外熱交換器、膨張弁および室内熱交換器と共に、冷媒回路を構成している。圧縮機１は、防振ゴム等の複数の支持部材５を介して、ベース板３に取り付けられている。圧縮機１には、アキュームレータ２が取り付けられている。
【００１９】
上記ベース板３は、室外機の底フレームである。ベース板３は、圧縮機１の底面に対向する位置に、一つの凹部３０を有する。この凹部３０は、圧縮機１の直下に位置する。
【００２０】
上記音吸収部材７は、ベース板３の凹部３０を覆うと共に、この凹部３０に連通する一つの孔部７０を有する。音吸収部材７としては、弾性体の一例としてのゴムシートを用いているが、エラストマーやスポンジや不織布等を用いてもよい。
【００２１】
上記ベース板３の凹部３０と上記音吸収部材７の孔部７０とは、ヘルムホルツ共鳴器Ｈ０を構成する。ヘルムホルツ共鳴器Ｈ０は、特定の周波数帯域の音を取り込んで共鳴吸収する。ヘルムホルツ共鳴器Ｈ０の特性は、凹部３０の容積、孔部７０の面積（内径）および音吸収部材（ゴムシート）７の厚みによって、決定される。なお、この実施形態では、凹部３０の容積、孔部７０の面積（内径）および音吸収部材（ゴムシート）７の厚みについての具体的な数値を示していないが、ヘルムホルツ共鳴器自体は、一般的なものであるため、当業者は、過度の試行を要さずに、所望のヘルムホルツ共鳴器を容易に製造できる。
【００２２】
図２の平面図に示すように、上記支持部材５は、ベース板３上において略二等辺三角形の頂点の位置に配置されている。上記音吸収部材７は、平面視、略正八多角形に形成されている。このように、略二等辺三角形の頂点の位置に配置されている三つの支持部材５に、音吸収部材７を簡単に当接あるいは近接させることができて、音吸収部材７を圧縮機１の底面とベース板３との間に簡単に拘束でき、あるいは、音吸収部材７の移動可能な距離を小さくできる。
【００２３】
上記ベース板３の上記凹部３０は、平面視、矩形に形成されている。上記音吸収部材７の上記孔部７０は、平面視、円形に形成されている。孔部７０は、平面視、凹部３０の中心に位置している。
【００２４】
上記構成の空気調和機によれば、上記ベース板３の上記凹部３０と上記音吸収部材７の上記孔部７０とは、ヘルムホルツ共鳴器Ｈ０を構成するので、圧縮機１の底面から放射した音は、音吸収部材７の孔部７０を介して、ベース板３の凹部３０に取り込まれて、ヘルムホルツ共鳴器Ｈ０にて共鳴する。そして、この共鳴のエネルギーは、音吸収部材７の内部摩擦により消費される。また、音吸収部材７自体により、圧縮機１の底面から放射した音を直接に吸収できる。
【００２５】
したがって、圧縮機１の底面から放射されベース板３を透過して外部へ漏れ出す音の大きさを十分に低減できる。
【００２６】
要するに、従来では、ベース板における圧縮機に対向する部分の剛性を高めるために、このベース板における圧縮機に対向する部分に凹部を設けていたが、本発明では、この凹部３０をヘルムホルツ共鳴器Ｈ０の一部として利用することに着目し、この凹部３０を音吸収部材７と共にヘルムホルツ共鳴器Ｈ０を構成することで、圧縮機１の底面から放射される騒音の大きさを十分に低減した。
【００２７】
（第２の実施形態）
図３は、この発明の空気調和機の第２の実施形態を示している。上記第１の実施形態と相違する点を説明すると、この第２の実施形態では、ベース板の凹部および音吸収部材の孔部の数量が増加している。なお、その他の構造は、上記第１の実施形態と同じであるため、その説明を省略する。
【００２８】
図３に示すように、ベース板３Ａは、三つの凹部３１，３２，３３を有する。音吸収部材７Ａは、三つの凹部３１，３２，３３のそれぞれに対応して配置された三つの孔部７１，７２，７３を有する。第１の凹部３１と第１の孔部７１とは、第１のヘルムホルツ共鳴器Ｈ１を構成する。第２の凹部３２と第２の孔部７２とは、第２のヘルムホルツ共鳴器Ｈ２を構成する。第３の凹部３３と第３の孔部７３とは、第３のヘルムホルツ共鳴器Ｈ３を構成する。
【００２９】
上記第１の凹部３１の容積、上記第２の凹部３２の容積および上記第３の凹部３３の容積は、順に、大きくなっている。上記第１の孔部７１の面積（内径）、上記第２の孔部７２の面積（内径）および上記第３の孔部７３の面積（内径）は、全て、同じである。つまり、上記第１のヘルムホルツ共鳴器Ｈ１の容積、上記第２のヘルムホルツ共鳴器Ｈ２の容積および上記第３のヘルムホルツ共鳴器Ｈ３の容積は、順に、大きくなっている。
【００３０】
したがって、上記各ヘルムホルツ共鳴器Ｈ１，Ｈ２，Ｈ３の消音できる周波数を変えることができ、消音できる周波数の種類を増加できる。
【００３１】
なお、上記各凹部３１，３２，３３の容積を全て同じにし、かつ、上記各孔部７１，７２，７３の面積（内径）を変えるようにしてもよい。また、各凹部３１，３２，３３の容積の少なくとも一つを変えるようにしてもよく、また、各孔部７１，７２，７３の面積（内径）の少なくとも一つを変えるようにしてもよい。また、各凹部３１，３２，３３の容積を全て同じにし、各孔部７１，７２，７３の面積（内径）を全て同じにしてもよい。
【００３２】
（第３の実施形態）
図４は、この発明の空気調和機の第３の実施形態を示している。上記第１の実施形態と相違する点を説明すると、この第３の実施形態では、音吸収部材の孔部の数量が増加している。なお、その他の構造は、上記第１の実施形態と同じであるため、その説明を省略する。
【００３３】
図４に示すように、ベース板３Ｂは、一つの凹部３４を有する。音吸収部材７Ｂは、一つの凹部３４に対応して配置された三つの孔部７４を有する。一つの凹部３４と三つの孔部７４とは、ヘルムホルツ共鳴器Ｈ４を構成する。
【００３４】
したがって、上記ベース板３Ｂは、一つの凹部３４を有し、上記音吸収部材７Ｂは、三つの孔部７４を有するので、三つの孔部７４と総面積が等しい一つの孔部を設ける場合に比べて、音吸収部材７Ｂ自体により、圧縮機１の底面から放射した音を直接に確実に吸収できる。なお、上記各孔部７４の面積（内径）の少なくとも一つを変えるようにしてもよく、また、各孔部７４の面積（内径）を全て同じにしてもよい。
【００３５】
なお、この発明は上述の実施形態に限定されない。例えば、上記第１から上記第３の実施形態のそれぞれの特徴点を様々に組み合わせてもよい。また、ベース板の凹部および音吸収部材の孔部の数量の増減は、自由である。ベース板の凹部の形状を、平面視、矩形以外に、円形や多角形等にしてもよい。音吸収部材の孔部の形状を、平面視、円形以外に、楕円や多角形等にしてもよい。また、音吸収部材を、平面視、略正八角形以外に、他の多角形や円形等にしてもよい。
【符号の説明】
【００３６】
１  圧縮機
２  アキュームレータ
３，３Ａ，３Ｂ  ベース板
３０，３１〜３３，３４  凹部
５  支持部材
７，７Ａ，７Ｂ  音吸収部材
７０，７１〜７３，７４  孔部
Ｈ０，Ｈ１〜Ｈ３，Ｈ４  ヘルムホルツ共鳴器
【図１】
2012037148.tif 000003
【図２】
2012037148.tif 000004
【図３】
2012037148.tif 000005
【図４】
2012037148.tif 000006